(57)【要約】【課題】複数段に積み上げられた上下に積層する段ボール箱の間で、滑りを起こして位置ズレが生じ易くなるのを回避できると共に、強度を向上させた段ボール箱を提供する。【解決手段】段ボールシート１１は、シングルフェーサにおいて中芯材１２と一方のライナー材１３とを接合して形成された片面段ボールシート１５と、他方のライナー材１４とを、ダブルフェーサにおいて、表面が平滑な熱盤１６と圧着ベルト１７との間に挟み込んだ状態で、これらの間を通過させることで、熱盤１６側の他方のライナー材１４と中芯材１２とが、糊材を介して接合されていると共に、圧着ベルト１７側の一方のライナー材１３の表面には、中芯材１２の波形断面形状による、縦スジ状の段目１３ａが表れている（図２、図３参照）。段ボール箱１０は、他方のライナー材１４を内側面に、一方のライナー材１３を外側面に配置して、段ボールシート１１から立体形状に形成されている。【選択図】図１
2014000990.tif 000002
【特許請求の範囲】
【請求項１】
波形断面形状を有する中芯材を挟んだ表裏にライナー材を接合して得られた段ボールシートから、立体形状に組み立てて形成された段ボール箱であって、
前記段ボールシートは、シングルフェーサにおいて中芯材と一方のライナー材とを接合して形成された片面段ボールシートと、他方のライナー材とを、ダブルフェーサにおいて、表面が平滑な熱盤と圧着ベルトとの間に挟み込んだ状態で、これらの間を通過させることで、前記熱盤側の前記他方のライナー材と前記中芯材とが、糊材を介して接合されていると共に、前記圧着ベルト側の前記一方のライナー材の表面には、前記中芯材の波形断面形状による、縦スジ状の段目が表れており、
前記他方のライナー材を内側面に、前記一方のライナー材を外側面に配置して、前記段ボールシートから立体形状に形成されている段ボール箱。
【請求項２】
前記一方のライナー材による外側面に、印刷類が施されている請求項１記載の段ボール箱。
【請求項３】
テアテープが取り付けられていない、１パーツ又は２パーツの六面体又は六面体状の多面体の箱となっている請求項１又は２記載の段ボール箱。
【発明の詳細な説明】
【技術分野】
【０００１】
本発明は、段ボール箱に関し、特に段ボールシートから立体形状に組み立てて形成された段ボール箱に関する。
【背景技術】
【０００２】
例えば、各種の日用品や食品等の物品を複数まとめて封緘して、搬送や保管に供するための箱として、段ボール箱が多用されている。段ボール箱は、所定の形状に裁断された段ボールシートに折曲げ加工や切込み加工等を施すと共に、必要に応じて接着剤等による接合手段を用いて必要箇所を接合することにより、側面部と、天面部と、底面部とを備える、好ましくは直方体形状に形成される。
【０００３】
段ボール箱を形成するための段ボールシートは、波形断面形状を有する中芯材を挟んだ表裏にライナー材を接合してなるものであり、一般に、コルゲーターと呼ばれる装置を用いて、シングルフェーサとダブルフェーサとを含む製造工程を経て得ることができる（例えば、特許文献１、特許文献２、特許文献３、特許文献４参照）。
【０００４】
段ボールシートの製造工程では、シングルフェーサにおいて、例えば表面が波形の一対の段ロールの間に原紙を通して波形断面形状を有するように形成された中芯材を、これの裏側の段頂部に糊材を塗布してから、裏ライナー材と重ね合わせた状態で両側から加熱及び加圧することで、中芯材と裏ライナー材とを接合して片面段ボールシートを形成する。しかる後に、シングルフェーサの下流側に設けられたダブルフェーサにおいて、片面段ボールシートの中芯材の表側の段頂部に糊材を塗布してから、片面段ボールシートと表ライナー材とを重ね合わせた状態で両側から加熱及び加圧することで、片面段ボールシートと表ライナー材とを接合して、波形断面形状を有する中芯材を挟んだ表裏の両面に、ライナー材が接合された段ボールシートが製造される。
【０００５】
ここで、片面段ボールシートと表ライナー材とを重ね合わせて加熱及び加圧を行うダブルフェーサでは、重ね合わせた片面段ボールシートと表ライナー材とを、表ライナー材を下方に配置して表面が平滑な加熱状態の熱盤に沿って搬送しながら、これの上方から、回転移動可能な圧着ベルトを熱盤に向けて押し付けることで、熱盤と圧着ベルトとの間に挟み込んで、片面段ボールシートと表ライナー材とを糊材を介して圧着する。
【０００６】
このため、製造された段ボールシートの表ライナー材側の面は、加熱及び加圧されながら平滑な熱盤の表面に接触しつつスライド移動したことにより、例えばアイロンをかけたような平滑な面となっている一方で、裏ライナー材側の面は、可撓性を有する圧着ベルトが押し付けられたことにより、中芯材の波形断面形状による、縦スジ状の段目が表われている。
【０００７】
したがって、シングルフェーサとダブルフェーサとを含む製造工程を経て得られた段ボールシートを用いて形成される、従来の段ボール箱では、その全てが、美観上好ましいと考えられる平滑な面となっている表ライナー材側の面を印刷面として、各種の印刷類を適宜施すと共に、平滑な表ライナー材側の面を外側面に、裏ライナー材側の面を内側面に配置して、段ボールシートから立体形状に組み立てられている。
【先行技術文献】
【特許文献】
【０００８】
【特許文献１】特開平２−１８４４２５号公報
【特許文献２】特開２００２−１２０３０８号公報
【特許文献３】特開２００８−１２００５１号公報
【特許文献４】特開２０１０−２４１０７９号公報
【発明の概要】
【発明が解決しようとする課題】
【０００９】
しかしながら、上述のシングルフェーサとダブルフェーサとを含む製造工程を経て得られた段ボールシートを用いて形成される、従来の段ボール箱は、美観上好ましいと考えられる一方で、外側面が平滑な面となっていることから、例えば各種の物品を封緘した後に、複数の段ボール箱をパレット上に複数段に積み上げた状態で、例えばフォークリフトで移動させたり、トレーラーに積み込んで搬送したりする際に、上下に積層する段ボール箱の間で滑りを起こして位置ズレを生じ易くなり、また位置ズレが大きくなると、積み上げた段ボール箱が落下して、封緘した物品を損傷させる場合がある。
【００１０】
このため、例えば段ボール箱の上面や下面に防滑ニスを印刷する方法や、上下の段ボール箱をホットメルトで接着する方法や、これらの防滑ニスやホットメルトによる処理を不要にする、箱の上面に突起を設けることによる公知のセンタリング機構による方法や、特に長距離輸送を行う場合には、積み上げた一纏まりの複数の段ボール箱を、一体としてフィルム巻きする方法等の、位置ズレを防止するための種々の対応策が採られていたが、これらの対応策では、多くの手間を要することになる。
【００１１】
また、段ボール箱は、一時的な落下強度のみならず、例えば長距離輸送を行う際に、長時間にわたって負荷される位置ズレ方向の力に効果的に対抗できる強度を備えることが望まれている。更に、近年、納品先において、段ボール箱を開封した状態で、そのまま展示することが行われるようになってきているため、段ボール箱は、外観的にも、壊れにくい強度を備えることが望まれている。
【００１２】
本発明は、特別な手段を施すことなく、物品を封緘した後に、複数段に積み上げられた上下に積層する段ボール箱の間で、滑りを起こして位置ズレが生じ易くなるのを効果的に回避できると共に、強度を向上させることのできる段ボール箱を提供することを目的とする。
【課題を解決するための手段】
【００１３】
本発明は、波形断面形状を有する中芯材を挟んだ表裏にライナー材を接合して得られた段ボールシートから、立体形状に組み立てて形成された段ボール箱であって、前記段ボールシートは、シングルフェーサにおいて中芯材と一方のライナー材とを接合して形成された片面段ボールシートと、他方のライナー材とを、ダブルフェーサにおいて、表面が平滑な熱盤と圧着ベルトとの間に挟み込んだ状態で、これらの間を通過させることで、前記熱盤側の前記他方のライナー材と前記中芯材とが、糊材を介して接合されていると共に、前記圧着ベルト側の前記一方のライナー材の表面には、前記中芯材の波形断面形状による、縦スジ状の段目が表れており、前記他方のライナー材を内側面に、前記一方のライナー材を外側面に配置して、前記段ボールシートから立体形状に形成されている段ボール箱を提供することにより、上記目的を達成したものである。
【発明の効果】
【００１４】
本発明の段ボール箱によれば、特別な手段を施すことなく、物品を封緘した後に、複数段に積み上げられた上下に積層する段ボール箱の間で、滑りを起こして位置ズレが生じ易くなるのを効果的に回避できると共に、強度を向上させることができる。
【図面の簡単な説明】
【００１５】
【図１】本発明の好ましい一実施形態に係る段ボール箱の斜視図である。
【図２】本発明の好ましい一実施形態に係る段ボール箱を形成するための段ボールシートの拡大断面図である。
【図３】図１のＡ部拡大上面図である。
【図４】シングルフェーサを説明する略示斜視図である。
【図５】ダブルフェーサを説明する略示斜視図である。
【図６】ダブルフェーサの後に段ボールシートを形成する工程を説明する略示斜視図である。
【図７】本発明の好ましい他の実施形態に係る段ボール箱の斜視図である。
【図８】（ａ）〜（ｃ）は、本発明の好ましい他の形態の段ボール箱を例示する略示上面図である。
【発明を実施するための形態】
【００１６】
図１に示す本発明の好ましい一実施形態に係る段ボール箱１０は、後述するシングルフェーサ（図４参照）とダブルフェーサ（図５参照）とを含む製造工程を経て得られた段ボールシート１１を用いて、当該段ボールシート１１を立体形状に組み立てることで、例えば六面体形状（直方体形状）を有するラップラウンド型のダンボール箱として形成されたものである。ここで、ラップラウンド型の段ボール箱１０は、ＪＩＳ ０４１０型に分類される段ボール箱である。ラップラウンド型の段ボール箱１０は、製品の梱包と当該段ボール箱１０の組み立てとを同時に行うことができると共に、梱包作業を機械化して高速化することが可能なので、多量の製品を低コストに、且つ効率良く封緘するための段ボール箱として有用である。また、本実施形態の段ボール箱１０は、後述する特有の構成を備えることで、複数段に積み上げた状態で、例えばフォークリフトで移動させたり、トレーラーに積み込んで搬送したりする際に、上下に積層する段ボール箱１０の間で滑りを起こし難くして、位置ズレが生じるのを効果的に抑制する機能を備える。
【００１７】
なお、本発明では、段ボール箱は、例えば六面体の他、六面体状の多面体の箱となっていても良く（図８（ａ）〜（ｃ）参照）、１パーツ又は２パーツの箱となっていても良い（図７参照）。
【００１８】
そして、本実施形態の段ボール箱１０は、図１〜図３に示すように、波形断面形状を有する中芯材１２を挟んだ表裏にライナー材１３，１４を接合して得られた段ボールシート１１から、立体形状に組み立てて形成された六面体形状を備える段ボール箱であって、段ボールシート１１は、シングルフェーサ（図４参照）において中芯材１２と一方のライナー材１３とを接合して形成された片面段ボールシート１５と、他方のライナー材１４とを、ダブルフェーサ（図５参照）において、表面が平滑な熱盤１６と圧着ベルト１７との間に挟み込んだ状態で、これらの間を通過させることで、熱盤１６側の他方のライナー材１４と中芯材１２とが、糊材を介して接合されていると共に、圧着ベルト１７側の一方のライナー材１３の表面には、中芯材１２の波形断面形状による、縦スジ状の段目１３ａが表れている（図２、図３参照）。段ボール箱１０は、他方のライナー材１４を内側面に、一方のライナー材１３を外側面に配置して、段ボールシート１１から立体形状に形成されている。
【００１９】
本実施形態では、段ボール箱１０を形成するための段ボールシート１１は、汎用されているダンボールシートと同様に、シングルフェーサとダブルフェーサとを含む公知の製造方法によって製造される。すなわち、シングルフェーサでは、図４に示すように、例えば中芯ロール２０ａから連続して供給される中芯材１２の原紙１２ａを、例えば加熱ロール２０ｂで約９５℃に加熱してから、表面が波形の一対の段ロール２１の間に通して、波形断面形状を有する中芯材１２とする。しかる後に、得られた波形断面形状を有する中芯材１２の一方の面側の段頂部１２ａ（図２参照）に、糊付け装置２２ａを介して例えば生澱粉液（コーンスターチ水溶液）からなる糊剤を塗布する。さらに、接合ロール２０ｃによって、中芯材１２を、ライナーロール２０ｄから連続して供給されると共に例えば加熱ロール２０ｅによって約９５℃に加熱された一方のライナー材１３と接合することで、片面段ボールシート１５が形成される。形成された片面段ボールシート１５は、下流側のダブルフェーサ（図５参照）に送られて、他方のライナー材１４と接合されることで、帯状に連続する段ボールシート１１の原反１１ａが形成される。
【００２０】
ここで、糊剤として好ましく用いられる生澱粉液（コーンスターチ水溶液）は、ゲル化温度まで加熱されることでゲル化して、粘着性を発現し、好ましくは乾燥工程を経ることで乾燥して、中芯材１２と、一方のライナー材１３や他方のライナー材１４とを強固に接合する。
【００２１】
ダブルフェーサでは、図５に示すように、シングルフェーサから送られてくる片面段ボールシート１５を、例えば加熱ロール２１fで約９５℃に加熱してから、加熱した片面段ボールシート１５を構成する中芯材１２の他方の面側の段頂部１２ｂ（図２参照）に、糊付け装置２２ｂを介して例えば生澱粉液（コーンスターチ水溶液）からなる糊剤を塗布する。しかる後に、ライナーロール２０ｇから連続して供給されると共に例えば加熱ロール２０ｈによって約９５℃に加熱された他方のライナー材１４を、案内ロール２０ｉを介して案内して、片面段ボールシート１５の下面側に下方から重ね合わせる。さらに、重ね合わせた片面段ボールシート１５と他方のライナー材１４とを、表面が平滑な熱盤１６と圧着ベルト１７との間に、他方のライナー材１４を熱盤１６の上面に密着させ、一方のライナー材１３を圧着ベルト１７の下面に密着させつつ挟み込んだ状態で、これらの間を通過させることで、熱盤１６側の他方のライナー材１４と中芯材１２とが、糊材を介して接合されて、帯状に連続する段ボールシート１１の原反１１ａが形成される。
【００２２】
これによって、形成された段ボールシート１１の原反１１ａの、加熱及び加圧されながら平滑な熱盤１６の表面に接触しつつスライド移動した、他方のライナー材１４側の面は、例えばアイロンをかけたような平滑な面となる。一方、形成された段ボールシート１１の原反１１ａの、一方のライナー材１３側の面には、可撓性を有する圧着ベルトが押し付けられたことにより、中芯材１２の波形断面形状による縦スジ状の段目１３ａが表われる。
【００２３】
片面段ボールシート１５と他方のライナー材１４とが接合されることによって形成された段ボールシート１１の原反１１ａは、図６に示すように、さらに裁断加工装置２３に送られて、罫線を入れたり、端部を切り取ったり、必要に応じてテアテープを取り付ける等の加工が施された後に、必要な長さに裁断されて、段ボール箱１０の展開形状を備える段ボールシート１１が形成される。形成された段ボールシート１１は、多数枚が積み重ねられた状態で、保管されたり、組み立て装置や封緘装置に送られて、六面他形状に組み立てられたり、製品が封緘されたりする。
【００２４】
また、本実施形態では、段ボール箱１０は、他方のライナー材１４を内側面に、一方のライナー材１３を外側面に配置して、段ボールシート１１から、複数の製品を封緘した状態で、六面体形状（直方体形状）を有するラップラウンド型のダンボール箱として、立体形状に形成されている。
【００２５】
さらに、本実施形態では、好ましくは、段ボール箱１０の一方のライナー材１３による外側面に、例えばフレキソ印刷、オフセット印刷、グラビア印刷、インクジェットプリンター等による印刷類が施されている。
【００２６】
そして、上述の構成を備える本実施形態のダンボール箱１０によれば、特別な手段を施すことなく、物品を封緘した後に、複数段に積み上げられた上下に積層する段ボール箱１０の間で、滑りを起こして位置ズレが生じ易くなるのを効果的に回避することが可能になると共に、強度を向上させることが可能になる。
【００２７】
すなわち、本実施形態によれば、段ボール箱１０は、片面段ボールシート１５と、他方のライナー材１４とを、ダブルフェーサにおいて、表面が平滑な熱盤１６と圧着ベルト１７との間に挟み込みながら通過させることで形成された段ボールシート１１を用いて、平滑な面となった他方のライナー材１４側の面を内側に配置すると共に、中芯材１２の波形断面形状による縦スジ状の段目１３ａが表れている、一方のライナー材１３側の面を外側に配置して、段ボールシート１１から立体形状に形成されているので、段ボール箱１０の外側面に表れた多数の縦スジ状の段目１３ａによって、摩擦力を向上させることにより、特別な手段を施すことなく、物品を封緘した後に、複数段に積み上げられた上下に積層する段ボール箱１０の間で滑りが生じるのを効果的に抑制することが可能になって、位置ズレが生じるのを効果的に回避することが可能になる。
【００２８】
また、本実施形態の段ボール箱１０は、縦スジ状の段目１３ａが表れている一方のライナー材１３側の面が、圧着ベルト１７を用いた、中芯材１２の段頂部１２ａとの間の、当該段頂部１２ａに沿ったより広い面積の糊剤による接着によって（図２参照）、多数の平行な柱状に連続した当該縦スジ状の段目１３ａの部分において、中芯材１２の段頂部１２ｂと平滑な面となっいている他方のライナー材１４側の面との接合箇所よりも、強度が強くなっている。また一方のライナー材１３側の面は、縦スジ状の段目１３ａが僅かに突出して緩やかな波状の凹凸面を形成してることで（図２参照）、平滑な面となっいている他方のライナー材１４側の面と比較して、保形剛性が大きくなっている。物品を封緘した後の段ボール箱１０は、例えば圧縮荷重を受けた場合に、外側に膨らみながら潰れることになるが、本実施形態の段ボール箱１０によれば、上述のように、平滑な面となった他方のライナー材１４側の面を内側に配置すると共に、縦スジ状の段目１３ａが表れている一方のライナー材１３側の面を外側に配置して、段ボールシート１１から立体形状に形成されているので、縦スジ状の段目が表れている面を内側に配置した従来の段ボール箱と比較して、外側に膨らみ難くなっていることによって、その強度を効果的に向上させることが可能になる。
【００２９】
なお、本発明は上記実施形態に限定されることなく種々の変更が可能である。例えば、平滑な面となった他方のライナー材側の面を内側に配置すると共に、縦スジ状の段目が表れている一方のライナー材側の面を外側に配置して、段ボールシートから立体形状に形成される段ボール箱は、テアテープが取り付けられていないラップラウンド型のダンボール箱である必要は必ずしも無く、好ましくは図７に示すような、テアテープが取り付けられていない２パーツ型のダンボール箱１０’や、その他の種々の形状のダンボール箱であっても良い。図８（ａ）〜（ｃ）に示すような、角部を斜めに切り欠いた、六角形、七角形、八角形等の平面形状を備える、六面体状の多面体の箱となっていても良い。また、設備の改造等を行うことにより、罫線やテアテープが設けられているＡ−１型のダンボール箱や、テアテープが取り付けられているラップラウンド型のダンボール箱等として形成することもできる。
【実施例】
【００３０】
以下、実施例及び比較例により、本発明のダンボール箱をさらに詳細に説明するが、本発明はこれらに限定されるものではない。
【００３１】
図７に示すダンボール箱と同様の形態を有する２パーツ型（三角コーナー補強型）のダンボール箱（平滑な面となった他方のライナー材側の面を内側（裏面）に配置すると共に、縦スジ状の段目が表れている一方のライナー材側の面を外側（表面）に配置したもの。）に、物品として詰め替え用のスタンディングパウチを封緘したものを、実施例１のダンボール箱とした。平滑な面となった他方のライナー材側の面を外側（表面）に配置すると共に、縦スジ状の段目が表れている一方のライナー材側の面を内側（裏面）に配置して、段ボールシートから段ボール箱を立体形状に形成したこと以外は、実施例１のダンボール箱と同様の構成を備えるダンボール箱を、比較例１のダンボール箱とした。実施例１のダンボール箱及び比較例１のダンボール箱について、以下の試験方法によって、「滑り角度」を測定した。測定結果を表１に示す。
【００３２】
実施例１及び比較例１の２パーツ型のダンボール箱を構成する、トレー及び蓋の各々について、平滑な面となった他方のライナー材側の面を表面に配置すると共に、縦スジ状の段目が表れている一方のライナー材側の面を裏面に配置したものと、平滑な面となった他方のライナー材側の面を裏面に配置すると共に、縦スジ状の段目が表れている一方のライナー材側の面を表面に配置したものとを組み合わせた、４種類のダンボール箱に対して、以下の試験方法によって、「圧縮強度」を測定した。測定結果を表２に示す。
【００３３】
【表１】
2014000990.tif 000003
【００３４】
【表２】
2014000990.tif 000004
【００３５】
〔滑り角度測定試験〕
滑り角度の測定試験は、全国段ボール工業組合連合会の段ボール規格「段ボール及び段ボール箱−滑り試験方法（ＪＣＳ  T 0005：2000）」に従って行った。すなわち、傾斜板の上に、ダンボールシートの試験片Ａやダンボール箱Ａを、傾斜によって動かないように設置すると共に、これらの上に、ダンボールシートの試験片Ｂやダンボール箱Ｂを重ねて設置した状態で、傾斜板を作動させて傾けて行き、ダンボールシートの試験片Ｂやダンボール箱Ｂが、ダンボールシートの試験片Ａやダンボール箱Ａから滑り始めた時の角度を計測する。
【００３６】
〔圧縮強度測定試験〕
圧縮強度の測定試験は、JIS  Z0212「包装貨物および容器（圧縮試験）」に従って行った。すなわち、JIS  B7733（圧縮試験機−力の検証方法）の圧縮試験機を使用し、試験品を保持板の中央に置いた状態で、速度１２±３mm／minで圧縮して、最大荷重を計測する。
【００３７】
表１の計測結果によれば、実施例１のダンボール箱及びこれに用いたダンボールシートは、比較例１のダンボール箱及びこれに用いたダンボールシートと比較して、滑り角度が相当程度大きくなっていることが判明する。
【００３８】
表２の試験結果によれば、トレー及び蓋の双方を、平滑な面となった他方のライナー材側の面を裏面に配置すると共に、縦スジ状の段目が表れている一方のライナー材側の面を表面に配置した実施例１のダンボール箱は、圧縮強度が相当程度大きくなっていることが判明する。
【符号の説明】
【００３９】
１０，１０’  段ボール箱
１１  段ボールシート
１２  中芯材
１２ａ  一方の面側の段頂部
１２ｂ  他方の面側の段頂部
１３  一方のライナー材
１３ａ  縦スジ状の段目
１４  他方のライナー材
１５  片面段ボールシート
１６  熱盤
１７  圧着ベルト
【図１】
2014000990.tif 000005
【図２】
2014000990.tif 000006
【図３】
2014000990.tif 000007
【図４】
2014000990.tif 000008
【図５】
2014000990.tif 000009
【図６】
2014000990.tif 000010
【図７】
2014000990.tif 000011
【図８】
2014000990.tif 000012